(57)【要約】【課題】簡単な装置でディスク基板と保護シートとの間に真空空間を作ることができ、確実に気泡の除去を行うことのできる信頼性の高いディスク貼合せ装置及びディスク貼合せ方法を得る。【解決手段】ディスク基板２の一面に形成した記録面上に接着剤を介して保護シート４を貼り合わせる装置であって、ディスク基板２を記録面とは反対の面を載置するステージ５と、保護シート４の上から当該保護シート４をディスク基板２に貼着するための加圧パッド８と、ディスク基板２と保護シート４との外周部を共にスリット溝１３を有するゴムリング１２で挟着し、ゴムリング１２に形成した真空引き通路１５を介してディスク基板２と保護シート４との間に真空空間を発生させ、気泡をディスク外周より吸引除去するための真空引き手段１１とから構成したディスク貼合せ装置。及びディスク貼合せ方法。【選択図】      図３
2004280877.tif 000002
【特許請求の範囲】
【請求項１】
ディスク基板の一面に形成した記録面上に接着剤を介して保護シートを貼り合わせる装置であって、
上記ディスク基板を記録面とは反対の面を載置する保持台と、
上記保護シートの上から当該保護シートをディスク基板に貼着するための加圧ヘッドと、
上記ディスク基板と上記保護シートとの外周部を共に挟着し、上記ディスク基板と上記保護シートとの間に真空空間を発生させ、気泡をディスク外周より吸引除去するための真空引き手段と、
から構成したことを特徴とするディスク貼合せ装置。
【請求項２】
請求項１記載のディスク貼合せ装置において、
上記真空引き手段は、上記ディスク基板と上記保護シートとの外周部をゴムリングで挟着し、上記ゴムリングに設けた真空引き通路から真空引きし上記ディスク基板と上記保護シートとの間に真空空間を発生させることを特徴とするディスク貼合せ装置。
【請求項３】
請求項３記載のディスク貼合せ装置において、
上記ディスクのセンター孔に面する上記ディスク基板と上記保護シートに圧接され、上記センター孔からの真空漏れを防ぎ、ディスクセンター孔の位置決めを兼ねるセンターピンを有することを特徴とするディスク貼合せ装置。
【請求項４】
請求項２記載のディスク貼合せ装置において、
上記センターピンは、圧縮空気の圧送により膨張し、上記ディスクのセンター孔に面する上記ディスク基板と上記保護シートに圧接することを特徴とするディスク貼合せ装置。
【請求項５】
ディスク基板の一面に形成した記録面上に接着剤を介して保護シートを貼り合わせる方法であって、
保持台上に載置されたディスク基板と保護シートとの外周部を挟着した真空引き手段により、上記ディスク基板と上記保護シートとの間に真空空間を発生させ気泡をディスク外周より吸引除去する工程と、
上記ディスク基板と上記保護シートとの間に真空空間を発生させた後、ディスク基板に接着剤を介して接着された保護シートの上から加圧ヘッドで加圧し、上記保護シートを上記ディスク基板に貼着する工程と、
からなることを特徴とするディスク貼合せ方法。
【請求項６】
請求項５記載のディスク貼合せ方法において、
上記真空引き手段により上記ディスク基板と上記保護シートとの間に真空空間を発生させるとき、ディスクのセンター孔に面する上記ディスク基板と上記保護シートに圧縮空気により膨張するセンターピンを圧接させ、上記センター孔からの真空漏れを防ぐことを特徴とするディスク貼合せ方法。
【発明の詳細な説明】
【０００１】
【発明の属する技術分野】
本発明は、ＣＤ、ＣＤ−ＲＯＭ、ＣＤ−Ｒ等のディスク状情報記録担体に適用して好適なディスク貼合せ装置及びディスク貼合せ方法に関し、詳しくは、ディスク基板と、このディスク基板の記録面を保護するための保護シートとの接着時に、ディスク基板と保護シートとの間に簡単な装置で真空空間を作り、ディスク基板と保護シート間に発生する気泡を吸引除去するようにしたものである。
【０００２】
【従来の技術】
従来、ＣＤやＣＤ−ＲＯＭ等のディスク状情報記録担体の製作にあって、ディスク基板に形成した記録面を保護することを目的として、記録面に塗布した接着剤を介して保護シートを貼り合わせ、保護シートの上から例えばゴム製のパッドで加圧することでディスク基板に保護シートの貼り合わせを行う方法がある。この場合、保護シートの貼り合わせを常圧環境下で行うと、ディスク基板と保護シートとの間に気泡の混入が発生することがあった。
【０００３】
このため、上述したような気泡対策として保護シートの貼合せ装置を真空環境下で行う方法がある。
【０００４】
また、装置全体を真空環境下で行う方法ではないが、［特許文献１］には２枚のディスクを接着剤を介して貼り合わせ、ディスクの貼合せ面の内外周の端面からはみ出した接着剤を真空ポンプの作用により吸取機構で吸い取り除去するものがある。
【０００５】
また、［特許文献２］には２枚のディスクを接着剤を介して貼り合わせて高速回転させ、ディスク内周では真空吸引部により接着剤を貼り合わせ面の内周縁に向かって流動させ、ディスク外周では真空吸引部により接着剤を吸引し回収するようにしたものがある。
【０００６】
【特許文献１】
特公平６−５０５７７号公報（第２頁、図１）
【０００７】
【特許文献２】
特開２００２−１９７７３８号公報（第５頁、［００３６］−［００３８］、図１）
【０００８】
【発明が解決しようとする課題】
ところで、従来技術で説明したように気泡対策としての保護シートの貼合わせ装置を真空環境下で行う方法は、装置全体を真空環境下に置く必要があるため、大きな真空チャッバが必要となり、従って、設備コストが高価となると共に真空引きのための時間もかかり、ディスク製造の生産性が低下するといった課題があった。
【０００９】
本発明は、上述したような課題を解消するためになされたもので、簡単な装置でディスク基板と保護シートとの間に真空空間を作ることができ、確実に気泡の除去を行うことのできる信頼性の高いディスク貼合せ装置及び方法を得ることを目的とする。
【００１０】
【課題を解決するための手段】
上述の目的を達成するため本発明によるディスク貼合せ装置は、接着剤を介して貼り合わせたディスク基板と保護シートとの外周部を共に真空引き手段により挟着し、真空引き手段の真空引き作用によりディスク基板と保護シートとの間に真空空間を発生させるようにしたものである。
【００１１】
上述したディスク貼合せ装置によれば、ディスク基板と保護シートとの外周部を共に挟着した真空引き手段を真空引き作用させることにより、ディスク基板と保護シートとの間に真空空間が発生し、その空間内の気泡をディスク外周より効果的に吸引除去することができ、簡単な装置でディスクの製品性を高めることができる。
【００１２】
また、本発明によるディスク貼合せ方法は、ディスク基板と保護シートとの外周部に挟着した真空引き手段でディスク基板と保護シートとの空間を真空引きするようにしたものである。
【００１３】
上述したディスク貼合せ方法によれば、真空引き手段を真空引き作用させることにより、ディスク基板と保護シートとの間に真空空間が発生し、空間内の気泡をディスク外周より効果的に吸引除去することができる。
【００１４】
【発明の実施の形態】
以下、本発明によるディスク貼合せ装置及びディスク貼合せ方法の実施の形態を図面を参照して説明する。
【００１５】
図１は本発明のディスク貼合せ装置に適用されるディスク状情報記録担体である例えばＣＤ等のディスク１の一例を示した断面図であり、ディスク外径Ｄが１２０ｍｍ、センター孔（ホール）１ａの内径ｄが１５ｍｍであり、ポリカーボネート（ＰＣ）からなるディスク基板２の一面に記録面３が形成され、その上に接着剤（図示せず）を介して同じくポリカーボネート（ＰＣ）からなる厚みｔ１が０．１ｍｍの保護シート４で記録面３を保護し、ディスク基板２の全体の厚みｔ  が１．２ｍｍのディスクである。
【００１６】
次に、上述したディスク１の貼合せ装置の断面図を図２に示す。
符号５はディスク基板２が載置される保持台となるステージであり、このステージ５上にディスク基板２の記録面３を上側にして反対側の面が載置される。この際、ディスク基板２の記録面３には予めスピンコートされた接着剤が均一に塗布され、この接着剤を介して保護シート４が重ね合わされた状態である。また、ステージ５上に載置されたディスク基板２及び保護シート４は、その外周部がステージ５から所定範囲はみ出すようにされる。
【００１７】
さらに、ステージ５の中心にはディスクのセンター孔１ａと同じ径のホール６が開口しており、このホール６にディスクのセンター孔１ａが図示しない所定の位置決め手段により位置決めされている。
【００１８】
このホール６にはセンターピンとなる内部が中空状の弾力性を有するゴム製の膨張ピン７が挿入され、この膨張ピン７は非膨張状態ではホール６の孔より小径となっている。また、膨張ピン７の上先端部はディスクのセンター孔１ａより突出している。この膨張ピン７はその中空内に圧縮空気を圧送することで、それ自身が径方向に膨張しホール６の内壁面に圧接する。
【００１９】
一方、ステージ５の上方には保護シート４をディスク基板２に接着固定するための加圧ヘッドである加圧パッド８が配置されている。加圧パッド８はその加圧面８ａが凸面状の円弧形状を有し、例えばウレタン製（硬度８０）の材質から形成されている。この加圧パッド８はロッド９を介して加圧シリンダ１０により昇降動作自在にされている。また、加圧パッド８の加圧面８ａの中心に上述したステージ５のホール６と同一径の凹部８ｂが形成されている。
【００２０】
さて、上述したようにステージ５からはみ出しているディスク基板２及び保護シート４の外周部にはその全周に亘って真空引き手段１１が接続される。
以下に真空引き手段１１の詳細について説明すると、ディスク基板２及び保護シート４の外周部は比較的に弾力性の高い環状のゴムリング１２で包囲されていて、ゴムリング１２はその内周側に形成したスリット溝１３でディスク基板２と保護シート４とを挟み込むように所定の圧着力で挟着している。
【００２１】
また、ゴムリング１２は支持プレート１４に支持されていて、支持プレート１４にはゴムリング１２のスリット溝１３と複数箇所で連通するようにした真空引き通路１５を有し、この真空引き通路１５が図示しない真空ポンプのホース１６と接続されている。
【００２２】
次に、図２〜図４を参照してディスク基板２と保護シート４との貼り合わせについて説明する。
【００２３】
まず、図２ａに示すように、ディスク基板２の記録面側に接着剤を介して重ね合わされた接着前のディスクを、そのセンター孔１ａをステージ５のホール６の中心に位置合わせしてステージ５上に載置する。この後、ディスクの外周部のディスク基板２と保護シート４とを真空引き手段１１のゴムリング１２で圧着挟持しセット状態を完了する。
【００２４】
このセット状態において、始めに膨張ピン７の中空内に圧縮空気を圧送して図３に示すように膨張ピン７を径方向に膨張させる。これによって、膨張ピン７の外周面がディスクのセンター孔１ａに面するディスク基板２と保護シート４とに圧接し、センター孔１ａ側のディスク基板２と保護シート４との貼り付け空間を密閉する。
【００２５】
この後、真空引き手段１１の図示しない真空ポンプを駆動することで、真空引き手段１１による真空引きが開始される。この際、ディスクのセンター孔１ａ側は膨張ピン７で密閉されているので、ディスク基板２と保護シート４との貼り付け空間は完全な真空状態となり、従って、空間内に存在する気泡はディスク外周部よりゴムリング１２及び支持プレート１４の真空引き通路１５を経て吸引除去される。
【００２６】
そして、ディスクの真空引き完了後、加圧パッド８を下降させることで、保護シート４がディスク基板２に接着成形され、ディスク基板２と保護シート４との間に気泡の存在しないディスク１が製作される。
【００２７】
尚、加圧パッド８はその加圧面８ａが凸状の円弧面形状にされているので、加圧パッド８による保護シート４の加圧が行われたとき、図３に示すようにディスクのセンター側から加圧が開始され、そして、加圧パッド８自体が徐々に外周側に偏平に変形していくことにより保護シート４が加圧され、最終的に図４に示すように加圧パッド８による保護シート４の接着が完了する。
【００２８】
ここで、真空引き手段１１のゴムリング１２をディスク基板２と保護シート４との外周部に挟着させるための挟着ワーク機構について説明する。
【００２９】
図５及び図６は挟着ワーク機構の一例であって、図５ａはゴムリング１２のスリット溝１３が閉じている状態、つまりディスクの外周部を挟着しているときの挟着ワーク機構の一部側断面図、図５ｂは同じく挟着ワーク機構の平面図である。また、図６ａはゴムリング１２の径が広げられてスリット溝１３を開口させ、ディスクの外周部を挟着する直前の挟着ワーク機構の一部側断面図、図６ｂは同じく挟着ワーク機構の平面図である。
【００３０】
図５ａ，ｂにおいて、ゴムリング１２はその外周に亘ってサークル状に配置した複数（本例では８つ）の支持プレート１４に保持されている。各支持プレート１４の内周面側にはそれぞれ移動駒１７が配置され、これら各移動駒１７はテーブル基盤１８上を図示しないガイドに沿って内外径方向に放射状に移動可能にされている。そして、各移動駒１７に対峙するようにテーブル基盤１８上に多角形プレート１９が配置され、この多角形プレート１９は軸２０を中心として図示しない駆動源により回動可能である。
【００３１】
多角形プレート１９は本例では八角形状を有し、多角形プレート１９の各辺のセンターが移動駒１７に接触するようにされている。
【００３２】
このように構成した挟着ワーク機構は、多角形プレート１９を図５ｂの状態から時計回り方向（反時計回り方向でもよい）に回動させることで、この多角形プレート１９の辺により各移動駒１７が外周方向へ放射状に押し出される。この移動駒１７の外周方向への移動により、支持プレート１４も同じく外周方向へ押し出されることでゴムリング１３の径が押し広げられる。これによって、ゴムリング１２自体の持つ弾性作用によりスリット溝１３が図６ａに示すように開口する。このゴムリング１３の開口状態において、ディスクの外周部にゴムリング１３を対応させるように挟着ワーク機構をセットし、この後、多角形プレート１９を反時計回り方向へ逆に回動させることによって、ゴムリング１３が元の形状に縮まると同時にスリット溝１３が閉止するときディスクの外周部を挟着させることができるようになっている。
【００３３】
上述したような挟着ワーク機構を使用することによって、従来のような大がかりな真空チャンバを使用することなく、ディスク基板２と保護シート４との間のみを確実に真空引きさせることができる。
【００３４】
図７に挟着ワーク機構の別の例であって、図７ａは挟着ワーク機構の平面図、図７ｂはゴムリング１３のスリット溝１３が開口した状態の側断面図である。
【００３５】
この場合、ゴムリング１３の外周部にはその全周に亘って吸着口付きリング２１が取り付けられ、この吸着口付きリング２１に上下一対の吸着口２２が放射状に形成されているものである。
【００３６】
このように構成した挟着ワーク機構は、ゴムリング１３のスリット溝１３が閉じている状態から吸着口付きリング２１の吸着口２２から図示しないバキュームポンプ等でエアーを吸引することで、ゴムリング１３自体の上下部分が吸引されて圧縮されその内径が大きくなる。すなわち、ゴムリング１３自体はその上下部分が吸引されることでスリット溝１３が図７ｂに示すように開口するようになる。
【００３７】
従って、上述した挟着ワーク機構では、スリット溝１３を開口させた状態でディスクの外周部にセットし、この後、バキュームポンプの駆動を解除させることで、ゴムリング１３が元の形状に復元すると同時にスリット溝１３が閉止するときディスクの外周部を挟着させることができるようになっている。
【００３８】
このような挟着ワーク機構を使用することによっても、ディスク基板２と保護シート４との間のみを確実に真空引きさせることができる。
【００３９】
本発明は、上述しかつ図面に示した実施の形態に限定されるものでなく、その要旨を逸脱しない範囲内で種々の変形実施が可能である。
【００４０】
本例ではディスク貼合せとしてディスク状情報記録担体であるＣＤを例にとってディスク基板にその記録面を保護する保護シートを貼り合わせる場合について説明したが、その他、同様なディスク構造であるＣＤ−ＲＯＭやＣＤ−Ｒ等のディスクにも適用可能である。
【００４１】
また、その他のディスク状情報記録担体であるＤＶＤ等のようにディスク基板を２枚貼り合わせるような場合、ディスク基板間を真空引きして気泡を除去するときにも広く適用可能である。
【００４２】
【発明の効果】
以上説明したように本発明によるディスク貼合せ装置は、接着剤を介して貼り合わせたディスク基板と保護シートとの外周部を共に真空引き手段により挟着し、真空引き手段の真空引き作用によりディスク基板と保護シートとの間に真空空間を発生させるようにしたので、その空間内の気泡をディスク外周より効果的に吸引除去することができ、従来のような大がかりな真空チャンバを使用することなく、短時間でディスク基板と保護シートとの間のみに真空空間を作ることができる。また、簡単な装置であるので設備コストも安価にでき、かつディスクの製品性を高めることができるといった効果がある。
【００４３】
また、本発明によるディスク貼合せ方法は、ディスク基板と保護シートとの外周部に挟着した真空引き手段でディスク基板と保護シートとの空間を真空引きするようにしたので、大がかりな真空チャンバを使用することなく、短時間でディスク基板と保護シートとの間のみに真空空間が作れ、空間内の気泡をディスク外周より効果的に吸引除去することができ、ディスクの製品性を高めることができる。
【図面の簡単な説明】
【図１】本発明のディスク貼合せに適用されるＣＤ等のディスクの図である。
【図２】ディスク貼合せ装置のディスク貼り合わせ前の断面図である。
【図３】ディスク貼合せ装置のディスク貼り合わせを開始したときの断面図である。
【図４】ディスク貼合せ装置のディスク貼り合わせを完了したときの断面図である。
【図５】ａ  挟着ワーク機構の一例の一部断面側面図である。
ｂ  同じく挟着ワーク機構の平面図である。
【図６】ａ  挟着ワーク機構のディスク挟着直前で、ゴムリングのスリット溝を開口させたときの一部断面側面図である。
ｂ  同じく挟着ワーク機構の平面図である。
【図７】ａ  挟着ワーク機構の別の例の一部断面側面図である。
ｂ  同じく挟着ワーク機構の平面図である。
【符号の説明】
１…ディスク、２…ディスク基板、４…保護シート、５…ステージ、６…ホール、７…膨張ピン、８…加圧ヘッド、９…加圧面、１０…加圧シリンダ、１１…真空引き手段、１２…ゴムリング、１３…スリット溝、１４…支持プレート、１５…真空引き通路、１７…移動駒、１９…多角形プレート、２１…吸着口付きリング、２２…吸着口
【図１】
2004280877.tif 000003
【図２】
2004280877.tif 000004
【図３】
2004280877.tif 000005
【図４】
2004280877.tif 000006
【図５】
2004280877.tif 000007
【図６】
2004280877.tif 000008
【図７】
2004280877.tif 000009